(57)【要約】      （修正有）【課題】タンクに湯を入れたとしても、容易に変形せず、長期間安全に使用できるようにする圧力調節装置及び同装置に用いるキャップとそのキャップを有するタンクを提供する。【解決手段】タンク本体１０とその注湯口に装着するキャップ１２とから成るタンクに適用する圧力調節装置２０であって、タンクの使用により湯が冷めて内圧が低下することで、タンク本体１０が変形するのを防止するために、タンクの内外を通じる通気孔１９をタンクの適切な部位に少なくとも１箇所設け、蒸気を通過させる一方、湯水は通過させない素材から成る通気部２１を用いて、通気孔１９を覆った構成とする。【選択図】図２
0003232168.tif 000002
【実用新案登録請求の範囲】
【請求項１】
タンク本体とその注湯口に装着するキャップとから成るタンクに適用する圧力調節装置であって、
前記タンクの使用により湯が冷めて内圧が低下することで、前記タンク本体が変形するのを防止するために、当該タンクの内外を通じる通気孔を前記タンクの適切な部位に少なくとも１箇所設け、
蒸気を通過させる一方、湯水は通過させない素材から成る通気部を用いて、上記通気孔を覆って成ることを特徴とする前記タンクに適用する圧力調節装置。
【請求項２】
タンク本体の注湯口に装着するキャップであって、
注湯口に装着するキャップの装着部よりも外方の部分に通気孔を少なくとも１箇所設け、蒸気を通過させる一方、湯水は通過させない素材から成る通気部を用いて、上記通気孔を覆って成ることを特徴とするタンクの圧力調節装置に用いるキャップ。
【請求項３】
キャップは注湯口に装着するキャップの装着部を有するキャップ本体と、装着部よりも外方に位置する部分に取り付けた栓とから構成されており、
キャップ本体には上記栓の取り付け部が設けられるとともに、栓と栓取り付け部のそれぞれに通気孔を形成し、かつ、栓と栓取り付け部の間に通気部を配置した構成を有する請求項２記載のタンクの圧力調節装置に用いるキャップ。
【請求項４】
キャップは注湯口を閉じる閉塞面を外方の部分に有し、閉塞面に通気孔を形成し、上記通気孔を覆う通気部を閉塞面の内部ないし外部の少なくとも一方に設けた構成を有する
請求項２記載のタンクの圧力調節装置に用いるキャップ。
【請求項５】
前記請求項２から４のいずれかのキャップと、タンク本体と、を有するタンク。
【考案の詳細な説明】
【技術分野】
【０００１】
本考案は、タンクの注入口に装着する、圧力調節装置及び同装置に用いるキャップと、そのキャップを有するタンクに関するものである。
【背景技術】
【０００２】
近年、いわゆる温泉スタンドで、温泉を購入し、自宅に持ち帰って温泉を楽しむということが行われている。この場合、温泉の温度によってはその温度によって膨張したり収縮したりする場合がある。すなわち湯を注入した灯油タンク内の湯面の上に空間がほとんどない場合は熱湯が冷めても灯油タンクに現われる影響は小さいが、空間が大きければ大きいほど収縮の影響が大きくなる。
【０００３】
例えば、１００℃の熱湯が、一晩で５０℃にまで低下したとすると、飽和水蒸気の圧力は１．０から０．１２気圧まで低下し、同じく密度は０．５９８から０．０８０（ｇ／１０００ｃｍ３理科年表より）まで低下する。その結果、灯油タンク本体は内圧の低下に耐えきれずに変形する。特に灯油タンクの五分目程しか入れないときにはその変形が甚だしい。このように変形と復元が際限なく繰り返される。
【０００４】
従来の灯油タンクとして使用することができる液体用タンクが、実用新案登録第３１３３１１８号に開示されている。このような液体用タンクに熱湯を注入すると、膨張と冷却による収縮が繰り返され、プラスチック材料から成る液体用タンクが疲労し、最悪の場合には破損の可能性がある。
【０００５】
【特許文献１】実用新案登録第３１３３１１８号公報
【考案の開示】
【考案が解決しようとする課題】
【０００６】
本考案は前記の実情に鑑みなされたもので、その課題は、タンクに湯を入れたとしても、容易に変形せず、長期間安全に使用できるようにする圧力調節装置及び同装置に用いるキャップとそのキャップを有するタンクを提供することである。
【課題を解決するための手段】
【０００７】
前記の課題を解決するため、第１観点の圧力調節装置は、タンク本体とその注湯口に装着するキャップとから成るタンクに適用するものであって、タンクの使用により湯が冷めて内圧が低下することで、タンク本体が変形するのを防止するために、当該タンクの内外を通じる通気孔をタンクの適切な部位に少なくとも１箇所設け、蒸気を通過させる一方、湯水は通過させない素材から成る通気部を用いて、上記通気孔を覆って成ることを特徴とする前記タンクに適用するというものである。
【０００８】
また、第２観点のタンクの圧力調節装置に用いるキャップは、タンク本体の注湯口に装着するキャップであって、注湯口に装着するキャップの装着部よりも外方の部分に通気孔を少なくとも１箇所設け、蒸気を通過させる一方、湯水は通過させない素材から成る通気部を用いて、上記通気孔を覆って成ることを特徴とするというものである。
【０００９】
また、第３観点のタンクの圧力調節装置に用いるキャップは、第２観点において、キャップは注湯口に装着するキャップの装着部を有するキャップ本体と、装着部よりも外方に位置する部分に取り付けた栓とから構成されており、キャップ本体には上記栓の取り付け部が設けられるとともに、栓と栓取り付け部のそれぞれに通気孔を形成し、かつ、栓と栓取り付け部の間に通気部を配置した構成を有するというものである。
【００１０】
また、第４観点のタンクの圧力調節装置に用いるキャップは、第２観点において、キャップは注湯口を閉じる閉塞面を外方の部分に有し、閉塞面に通気孔を形成し、上記通気孔を覆う通気部を閉塞面の内部ないし外部の少なくとも一方に設けた構成を有するというものである。
【００１１】
また、第５観点のタンクは、第２観点から第４観点のキャップと、タンク本体と、を有するというものである。
【考案の効果】
【００１２】
本考案は以上のように構成され、かつタンク内外の圧力差が随時解消するように作用するものであるものであるから、タンクに湯を入れたとしても、容易に変形せず、長期間安全に使用できるようにする圧力調節装置及び同装置に用いるキャップとそのキャップを有するタンクを提供することができる。
【図面の簡単な説明】
【００１３】
【図１】本考案に係るタンクにおける圧力調節装置の一例を示す斜視図である。
【図２】本考案に係るタンクの断面図である。
【図３】本考案に係るタンクにおける圧力調節装置に用いる例１のキャップの断面図である。
【図４】同じく例２のキャップの断面図である。
【図５】同じく例３のキャップの断面図である。
【図６】同じく例４のキャップの断面図である。
【考案を実施するための最良の形態】
【００１４】
以下図示の実施形態を参照して本実施例について説明する。図１は本実施例に係る圧力調節装置を適用したタンクの外観を示しており、タンクは、タンク本体１０とその注湯口１１、１１に装着するキャップ１２、１２とから成る。このような基本的構成を有するタンク本体１０に用いる樹脂材料や本体構造、注入する湯の容量等の条件はこれまでのものと同等で良い。したがって、取っ手である取っ手部１４を有し、その取っ手部１４は、上面である上面部１５に配置されている。また、注湯口１１、１１も上面部１５に配置されている。
【００１５】
図示のタンクは、パリソンを用いるブロー成形法によって型成形されるもので、キャップ１２、１２以外は従来周知のものである。
【００１６】
本実施例のタンクは、温泉などの湯を入れて運搬するものに限られることはない。すなわち、灯油などを入れるタンクであってもよい。このように、湯を入れることができれば、用途に限定されることはない。また、実施形態においては、そのタンクの使用により湯が冷めて内圧が低下しタンク本体１０が変形するのを防止するために、タンクの内外を通じる通気孔１９をタンクの適切な部位に少なくとも１箇所設け、通気部２１を用いて上記通気孔１９を覆って成る圧力調節装置２０の例を示している（図２）。なお、圧力調節装置２０は、タンク内外の圧力差を随時解消するように作用するものである。そのために、通気孔１９をタンク本体１０の適切な部位に設け、この通気孔１９を通気部２１により覆うという構成を取っている。また、後述するように、キャップ１２にも設けることができる。
【００１７】
この実施形態において、圧力調節装置２０はキャップ１２に設けられており、キャップ１２には、タンク本体１０の注湯口１１に設けられたオネジ部１７と螺合するメネジ部１８が装着手段として設けられている。上記キャップ１２の装着部であるメネジ部１８よりも外方の部分に、少なくとも１箇所の通気孔１９を設け、通気孔１９に向かう蒸気を通過させる一方、湯水は通過させない素材から成る通気部２１を用いて、上記通気孔１９を覆うことで圧力調節装置２０が構成される。なお、外方とは、タンク本体１０に装着した状態において、タンク本体１０を中心として外部の方向を指すものである。
【００１８】
さらに、図３ないし図６を参照して実施例についていくつか説明する。図３に示す例１の圧力調節装置２０において、キャップ１２は注湯口１１に装着するキャップのメネジ部１８を有するキャップ本体２２と、装着部であるメネジ部１８よりも外方に位置する部分に取り付けた栓２３とから構成されており、キャップ本体２２には上記栓２３の取り付け部２４が設けられるとともに、栓２３と栓取り付け部２４のそれぞれに通気孔１９−１、１９−２を少なくとも１箇所形成し、かつ、栓２３と栓取り付け部２４の間に通気部２１を配置した構成を有する。
【００１９】
例１において、キャップ１２のキャップ本体２２には栓取り付け部２４が中央部に凹状に設けられており、その底面の中央部に通気孔１９−２が形成されている。また、栓２３は栓取り付け部２４と一種の栓のように密に嵌合するものであり、さらに栓２３と栓取り付け部２４の周壁部には、相互に嵌合する凸部と凹部とから成る嵌合手段２５が抜け止めとして設けられ、これにより一体性が保たれる。通気部２１は栓取り付け部２４の底面に配置され、底面への接着又は底面と栓下端部との間の挟み込み等の手段によって固定される。
【００２０】
図中、２６はパッキンを示しており、キャップ１２の天面のパッキン止めの外側に配置され、注湯口１１の上端と接触して密閉状態を保つものである。通気孔１９−１、１９−２は異なる口径に図示されているが、どちらをどのような口径とするかは選択的事項であり、限定的に解釈すべきではない。なお、通気孔の個数については図示のように中央に１箇所に限らず、２箇所又は３箇所以上設けることができる。
【００２１】
次に、図４を参照して例２の圧力調節装置３０を説明する。例２の装置３０の場合は、キャップ１２が注湯口１１に装着するキャップのメネジ部１８を有するキャップ本体２７と、メネジ部１８よりも外方に位置する部分に取り付けた栓２８とから構成される構造において例１のものと共通する。しかし、栓取り付け部２９がキャップ本体２７の内側の天面に配置されている点において例１と相違する。そして、キャップ本体２７と栓２８のそれぞれに通気孔１９−１、１９−２を少なくとも１箇所形成し、かつ、栓２８と栓取り付け部２９の間に通気部２１を配置した構成を有する。
【００２２】
例２の装置３０では、栓取り付け部２９がキャップ本体内部の天面中央部に筒状に設けられ、その天面の中央部に、通気孔１９−１が形成されている。また、栓２８は栓取り付け部２９と一種の栓のように密に嵌合するもので、通気孔１９−２は栓２８の底面の中央部に形成されている。なお、栓２８と栓取り付け部２９は、周壁部に設けられた凸部と凹部から成る嵌合手段３１の相互嵌合により一体に結合する。通気部２１は栓取り付け部２９の天面に配置され、天面への接着又は天面と栓上端部との間の挟み込み等の手段によって固定される。
【００２３】
さらに、図５により例３の圧力調節装置３３について説明する。キャップ１２は外方の閉塞面３２が注湯口１１を閉じる部分になっており、閉塞面３２に通気孔１９を少なくとも１箇所形成し、かつ、上記通気孔１９を覆う通気部２１をキャップの天面すなわち閉塞面３２の内部に設けた構成を有する。３４は突条より成る枠部であり、その内側に通気部２１が接着等の手段により取り付けられる。他の構成は前記の例１と同様で良いので符号を援用し、詳細な説明は省略する。
【００２４】
図６は例４の圧力調節装置３５を示すもので、キャップ１２は例３と同様に外方の閉塞面３２が注湯口１１を閉じる部分になっており、閉塞面３２に通気孔１９を少なくとも１箇所形成し、上記通気孔１９を覆う通気部２１を閉塞面３２の外部すなわちキャップの外面に設けた構成を有する。通気部２１は、キャップ外面の突条より成る枠部３６の内側に取り付けられている。他の構成は前記の例１と同様で良いので符号を援用する。なお、通気孔１９を覆う通気部２１を閉塞面３２の内部ないし外部の少なくとも一方に設けるという構成も、また本実施例にとって好ましいものである。このように構成することによって、最も少ない部品点数でタンクの圧力調節装置３３、３５に用いるキャップ１２が提供されることになる。
【００２５】
本実施例はこのように構成されているので、仮に図２に示すように熱湯Ｈが八分目程度しか注湯されておらず、その湯面Ｆの上方に空間Ｇが大きく空いている場合、空間Ｇの高い内圧は、蒸気を通過させる一方、湯水は通過させない素材から成る通気部２１によって外部へ放出され、空間Ｇ内の圧力は大気圧に対してやや高い程度に調節される。その後の放熱により熱湯Ｈの温度が低下するにつれて空間Ｇの内圧も次第に低下するが、この場合には通気部２１を通して外気が空間Ｇ内に流入するので、内圧が過度に低下することはない。従って、熱湯による加熱とその冷却による圧力変化は最小限度に保たれ、タンク本体１０が変形するほどの圧力低下は起こらない。
【００２６】
上記通気部２１は、前述のように蒸気を通過させる一方、湯水は通過させない素材から成るものである。このような素材は防水透湿性素材として公知であるので、防水透湿性素材の中で１００℃の温度に耐える適切なものを選択し、適用することが可能である。素材としては、例えばＰＴＦＥ（ポリテトラフルオロエチレン）、ＰＵ（ポリウレタン）、ＰＥＴＰ（ポリエチレンテレフタレート）等から構成されるものを挙げることができる。通気部２１の大きさは通気孔１９、１９−１、１９−２に対して大きく図示されているが、上記各例ともこれは例示に過ぎず、具体的な寸法関係を示すものではない。従って、防水透湿性素材の提供形態や通気孔１９、１９−１、１９−２の口径等の条件に応じて任意に選択することができる。
【００２７】
本実施例の圧力調節装置は、タンクの使用により湯が冷めて内圧が低下しタンクが変形するのを防止するために、タンクの内外を通じる通気孔１９、１９−１、１９−２をタンクの適切な部位に少なくとも１箇所設けて構成される。実施形態の各例では、キャップ１２に通気孔１９、１９−１、１９−２を設けた例のみが示されている。しかしながら、例えばキャップ１２に螺合する注湯口１１の側面やタンク本体１０の注湯口付け根部等に通気孔１９を設けることも可能であり、キャップ１２に限られないのは言うまでもないことである。
【００２８】
上記実施例における圧力調節装置２０、３０、３３、３５は、タンク内外の圧力差を随時解消するように作用するものである。そのために、通気孔をタンクの適切な部位に少なくとも１箇所設け、この通気孔を通気部により覆うという構成を取っている。通気孔は複数個設けることができ、また、キャップ１２にもタンク本体１０にも設けることができる。また、圧力調節装置２０、３０、３３、３５は、キャップ１２に通気部２１を組み込んだものであり、これによって、圧力調節装置２０、３０、３３、３５を形状等の異なるタンク本体１０と組み合わせることが可能になる。
【符号の説明】
【００２９】
１０  タンク本体
１１  注湯口
１２  キャップ
１７  オネジ部
１８  メネジ部
１９、１９−１、１９−２  通気孔
２０、３０、３３、３５  圧力調節装置
２１  通気部
２２、２７  キャップ本体
２３、２８  栓
２４、２９  栓取り付け部
２５、３１  嵌合手段
２６  パッキン
３２  閉塞面
３４、３６  枠部
【図１】
0003232168.tif 000003
【図２】
0003232168.tif 000004
【図３】
0003232168.tif 000005
【図４】
0003232168.tif 000006
【図５】
0003232168.tif 000007
【図６】
0003232168.tif 000008